(57)【要約】【課題】　発光機能を具えたスケートボードの提供。【解決手段】　スケートボード本体とスケートボード本体の底部に左右対称に設けられた二組の車輪で組成され、車輪の回転によりスケートボードが走行し、車輪が発光機能を具えると共に、車輪に設けられた二極導電片がスケートボード本体底部の輪座導電環に接続され、スケートボード本体周囲に設置された発光ダイオードが車輪の回転により発生した電力を導線を介して受け取り発光し、夜間の視覚認識効果が高められ、使用の安全性が増されている。【選択図】　　　　図１
0003099645.tif 000002
【実用新案登録請求の範囲】
【請求項１】
　スケートボード本体と、スケートボード本体の底部に左右対称に設けられた二組の車輪で組成され、該車輪の回転によりスケートボードが走行する発光機能を具えたスケートボードにおいて、該車輪が発光機能を具え、該車輪のカバーの表面に、内部の発電装置に接続された二つ正負極の導電片が設けられ、該導電片がスケートボード本体の輪座の導電環の正負極と連結し、該輪座の導電環より正負極を具えた導線が延伸されてスケートボード本体周囲に設けられた発光ダイオードと接続され、該スケートボード本体の表面に二つの相互に対応する配線溝が設けられ、且つ横向きに別の配線溝が設けられ、これら配線溝に穿孔が設けられて導線がスケートボード本体の底部よりスケートボード本体表面の配線溝に通されるのに供され、スケートボード本体周囲の側辺に複数の収容孔が設けられて発光ダイオードが挿入され、該収容孔が内向きに延伸された後に上向きに該配線溝の穿孔に連通し、これにより導線が表面の配線溝と穿孔を通り下向きに発光ダイオードと接続され、スケートボード本体周囲の各発光ダイオードの間に孔が設けられて長円柱条状の集光条が嵌め込まれて発光ダイオードの発射する光線を集光し、集光機能を達成し、
　該車輪が二つの相互に組み合わされるカバーの内部に発電装置が設けられ、外部が輪体で被覆され、両側に軸受が嵌め込まれ、並びに枢軸が中心部分に固定されてなり、該発電装置に発光ダイオードと誘導コイルで組成された発光部が設けられ、並びに軸心部に嵌め込み孔を具えた環状磁石が組み合わされてそれに対して回転し、誘導コイルの励磁により発電し、
　車輪が回転により発光し、並びに電力が導線でスケートボード本体周囲の発光ダイオードに送られて発光効果を達成し、視覚上、眩しい発光機能を有すると共に夜間安全照明機能を具備することを特徴とする、発光機能を具えたスケートボード。
【請求項２】
　請求項１記載の発光機能を具えたスケートボードにおいて、集光条に穿孔が穿たれて複数の節孔が形成され光線が通過時に散乱することにより、眩しい発光機能を提供することを特徴とする、発光機能を具えたスケートボード。
【請求項３】
　請求項１記載の発光機能を具えたスケートボードにおいて、集光条がＰＶＣで形成されたことを特徴とする、発光機能を具えたスケートボード。
【考案の詳細な説明】
【技術分野】
【０００１】
　本考案は一種の発光機能を具えたスケートボードに係り、発光機能を具えた車輪を具え、車輪内の発光部より延伸された二極の導線により、車輪が回転することにより、導線が発光ダイオードに導電し、発光ダイオードが発光する、発光機能を具えたスケートボードに関する。
【背景技術】
【０００２】
　一般に、発光機能を具えたスケートボードは、スケートボード本体１０と、スケートボード本体の底部に左右対称に設けられた二組の車輪７０と、スケートボード本体１０周囲に設けられた発光ダイオード４０とを具えている。そのうち、該スケートボード本体１０の底部に発電座８０が設けられ、且つ該発電座８０より複数の導線８１が延伸されてスケートボード本体１０周囲の発光ダイオード４０に直列に接続され、該発電座８０に電池８２が収容され、電池８２の電力により発光ダイオード４０を発光させ、スケートボードに発光機能を付与し、スケートボードの夜間の識別に供している。
【０００３】
　しかし、このような発光機能を具えたスケートボードは、発光構造が電池を電源として必要とし、並びに複数の導線によりスケートボード本体周囲に設置された発光ダイオードと連結する必要があり、且つ発光機能を達成するため、複数の発光ダイオードが設置されているために、配線が乱雑となり、また、発光機能を維持するため電池を交換が必要であり、電池の電力がなくなれば、発光機能が無効となり、且つ発電座の設置により重量が増加し、全体構造が経済的でなくなり、また実用性が下がった。
【考案の開示】
【考案が解決しようとする課題】
【０００４】
　本考案は従来の発光機能を具えたスケートボードの欠点を改善することを目的としている。本考案による発光機能を具えたスケートボードは、車輪の回転により、車輪の発光部の発生する励磁発電により、車輪を発光させ、車輪の発光構造より正負極の一組の導線を延伸し、スケートボード本体表面の配線溝と穿孔を通し、これによりスケートボード本体周囲の発光ダイオードと接続し、並びに発光ダイオードの間に集光条を設置し、集光発光の機能を達成させ、このような機構の組合せにより、輝く発光効果を具え、夜間の安全識別効果を提供するものとする。
【課題を解決するための手段】
【０００５】
　請求項１の考案は、スケートボード本体と、スケートボード本体の底部に左右対称に設けられた二組の車輪で組成され、該車輪の回転によりスケートボードが走行する発光機能を具えたスケートボードにおいて、該車輪が発光機能を具え、該車輪のカバーの表面に、内部の発電装置に接続された二つ正負極の導電片が設けられ、該導電片がスケートボード本体の輪座の導電環の正負極と連結し、該輪座の導電環より正負極を具えた導線が延伸されてスケートボード本体周囲に設けられた発光ダイオードと接続され、該スケートボード本体の表面に二つの相互に対応する配線溝が設けられ、且つ横向きに別の配線溝が設けられ、これら配線溝に穿孔が設けられて導線がスケートボード本体の底部よりスケートボード本体表面の配線溝に通されるのに供され、スケートボード本体周囲の側辺に複数の収容孔が設けられて発光ダイオードが挿入され、該収容孔が内向きに延伸された後に上向きに該配線溝の穿孔に連通し、これにより導線が表面の配線溝と穿孔を通り下向きに発光ダイオードと接続され、スケートボード本体周囲の各発光ダイオードの間に孔が設けられて長円柱条状の集光条が嵌め込まれて発光ダイオードの発射する光線を集光し、集光機能を達成し、
　該車輪が二つの相互に組み合わされるカバーの内部に発電装置が設けられ、外部が輪体で被覆され、両側に軸受が嵌め込まれ、並びに枢軸が中心部分に固定されてなり、該発電装置に発光ダイオードと誘導コイルで組成された発光部が設けられ、並びに軸心部に嵌め込み孔を具えた環状磁石が組み合わされてそれに対して回転し、誘導コイルの励磁により発電し、
　車輪が回転により発光し、並びに電力が導線でスケートボード本体周囲の発光ダイオードに送られて発光効果を達成し、視覚上、眩しい発光機能を有すると共に夜間安全照明機能を具備することを特徴とする、発光機能を具えたスケートボードとしている。
　請求項２の考案は、請求項１記載の発光機能を具えたスケートボードにおいて、集光条に穿孔が穿たれて複数の節孔が形成され光線が通過時に散乱することにより、眩しい発光機能を提供することを特徴とする、発光機能を具えたスケートボードとしている。
　請求項３の考案は、請求項１記載の発光機能を具えたスケートボードにおいて、集光条がＰＶＣで形成されたことを特徴とする、発光機能を具えたスケートボードとしている。
【考案の効果】
【０００６】
　本考案の発光スケートボードは、従来の技術と較べて、以下のような機能を達成できる。
　１．経済的で新規な構造を提供している。即ち、本考案の発光機能を具えたスケートボードは、内部に発光部を具えた車輪により、車輪の回転により発光部が励磁発電し、発光ダイオードに発光させ、電池による電力供給が不要で、全体として極めて経済的で新規性を有している。
　２．発光ダイオードの数量を減らし、生産コストを減らす。即ち、本考案の発光機能を具えたスケートボードは、ＰＶＣ製の集光条を使用し、低廉であり、且つ集光条が発光ダイオードの光線を集めることにより発光ダイオードの数量を減らせ、これにより生産コストを減らすことができる。
　３．使用者に輝きと安全性を兼ね備えた発光機能を提供する。本考案の発光構造の発光機能は、車輪と集光条の節点の設計により、使用者に眩しい視覚効果と夜間使用の安全性を高める効果を提供する。
【考案を実施するための最良の形態】
【０００７】
　図１から４に示されるように、本考案の発光機能を具えたスケートボードは、前後端が上向きに円弧形を呈するように延伸されたスケートボード本体１０と、スケートボード本体１０の底部の前部と後部にあって、左右の輪座３０に枢設された二組の車輪２０とで組成されている。本考案は、車輪２０のカバー２１の表面に内部の発電装置と接続される正負極の導電片２２が設けられ、該導電片２２がスケートボード本体１０の輪座３０の導電環３１の正負極と接続され、該輪座３０の導電環３１より一組の正負極を具えた導線３２が延伸され、且つスケートボード本体１０の表面に二つの相互に対応する配線溝１１が設けられ、横向きにも配線溝１１が設けられ、適当な位置に穿孔１２が設けられ、スケートボード本体１０の底部の輪座３０の導電環３１より延伸された導線３２がスケートボード本体１０の底部よりスケートボード本体１０表面の配線溝１１へと通され、スケートボード本体１０の周囲側辺に適当な距離で複数の収容孔１３が設けられて発光ダイオード４０が挿入され、この収容孔１３が内向きに延伸された後に、上向きにスケートボード本体１０表面の配線溝１１の穿孔１２と連通し、これにより導線３２が表面の配線溝１１より穿孔１２を通り下向きに発光ダイオード４０と接続される。さらにスケートボード本体１０の周囲の各発光ダイオード４０の間に孔１４が設けられて、長円柱条状の集光条５０が嵌め込まれ、該集光条５０が集光効果を具備する。該集光条５０内に穿孔が設けられて複数の節孔５１が形成され、車輪２０の回転により発光し、並びに電力が導線３２でスケートボード本体１０周囲の発光ダイオード４０に送られて発光効果を達成し、これは図５に示されるようである。且つ光が集光条５０の節孔５１に至る時に、散乱効果が得られ、これにより視覚効果上、眩しい発光効果を有する。また、スケートボード本体１０表面が止滑布或いは軟質ＰＶＣ材料で被覆されて、止滑と表面装飾機能が達成される。
【０００８】
　図６から図８を参照されたい。本考案の車輪２０は、二つの相互に組み合わされるカバー２１を具え、その内部に発電装置が設置され、外部が輪体６０で一体に被覆され、両側に軸受２３が嵌め込まれ、並びに枢軸２４が中心に通されて固定されている。該発電装置は複数の発光ダイオード４０と誘導コイル２５１で組成された発光部２５を具え、並びに軸心部に設けられた嵌め込み孔を具えた環状磁石２５５がそれに対して回転し、並びに誘導コイル２５１が励磁され発電する。そのうち、発光部に外周にＵ形溝２５２１を具えた内環２５２が設けられて、絶縁層２５３を具えた誘導コイル２５１が収容され、さらに内環２５２の両側が折り曲げられた導電ケース２５４により被覆され、且つ二つの導電ケース２５４の外周縁に発光ダイオード４０が接続され、並びに一組のピン２５６が延伸され且つカバー２１を貫通し、並びにこの一組のピン２５６が二つの導電片２２にはんだ付けされて、車輪２０と輪座３０の連接部分の導電環３１の正負極と接続されて導通する。
【０００９】
　総合すると、本考案の発光機能を具えたスケートボードは、車輪の回転により、車輪の輪体が発光すると同時に電流が導線を介してスケートボード本体周囲の発光ダイオードに送られてそれを発光させ、極めて視覚効果の高い眩しい発光効果を提供し、且つ夜間の視覚識別を提供し、全体として産業上の利用価値と実用性に優れた考案である。なお、以上の実施例は本考案の実施範囲を限定するものではなく、本考案に基づきなしうる細部の修飾或いは改変は、いずれも本考案の請求範囲に属するものとする。
【図面の簡単な説明】
【００１０】
【図１】本考案の斜視図である。
【図２】本考案の分解斜視図である。
【図３】本考案の平面及び側面表示図である。
【図４】本考案の断面図である。
【図５】本考案の動作表示図である。
【図６】本考案の車輪の斜視図である。
【図７】本考案の車輪の局部分解斜視図である。
【図８】本考案の車輪の発光部の分解斜視図である。
【図９】周知の発光機能を具えたスケートボードの底面図である。
【図１０】周知の発光機能を具えたスケートボードの断面図である。
【符号の説明】
【００１１】
１０　スケートボード本体　　　　　１１　配線溝
１２　穿孔　　　　　　　　　　　　１３　収容孔
１４　孔
２０　車輪　　　　　　　　　　　　２１　カバー
２２　導電片　　　　　　　　　　　２３　軸受
２４　枢軸　　　　　　　　　　　　２５　発光部
２５１　誘導コイル　　　　　　　　２５２　内環
２５２１　Ｕ形溝
２５３　絶縁層　　　　　　　　　　２５４　導電ケース
２５５　環状磁石　　　　　　　　　２５６　ピン
３０　輪座　　　　　　　　　　　　３１　導電環
３２　導線
４０　発光ダイオード　　　　　　　５０　集光条
５１　節孔　　　　　　　　　　　６０　輪体
【図１】
0003099645.tif 000003
【図２】
0003099645.tif 000004
【図３】
0003099645.tif 000005
【図４】
0003099645.tif 000006
【図５】
0003099645.tif 000007
【図６】
0003099645.tif 000008
【図７】
0003099645.tif 000009
【図８】
0003099645.tif 000010
【図９】
0003099645.tif 000011
【図１０】
0003099645.tif 000012